(57)【要約】【課題】  デバイス使用による消費電力量を測定し、更に印刷設定や印刷方法をどのように変更したら、どれだけ消費電力量を削減できるかを知りたいという要望がある。消費電力量削減のシミュレーションを行うためには、デバイスが電力を消費する要因ごとの消費電力量の内訳を必要とする。しかし、電力計で測定できる消費電力量は、ある期間で発生した消費電力量であり、要因ごとの内訳までは測定することができない。電力計で消費電力量を測定すると、正確な消費電力量を求めることができるが、消費電力量削減シミュレーションを行うための情報が不足している。【解決手段】  電力計で消費電力量を測定する手段と、電力を消費する要因ごとに消費電力量を細分化する手段により、実測値に基づいた消費電力量削減シミュレーション結果を提示する。【選択図】  図１
2013182131.tif 000002
【特許請求の範囲】
【請求項１】
画像形成装置の管理システムにおいて、画像形成装置の状態変化ごとに消費電力量を記録する手段（１２４、２０４）と、 
ジョブ処理実績を記録する手段（１２３）と、 
前記記録した消費電力量から、ジョブ処理１ページあたりの消費電力量を算出する手段（１１２）と、 
前記ジョブ処理実績に対して、消費電力量削減を実現するジョブ処理設定を適用した場合の削減ページ数を算出する手段（１１２）と、 
前記、ジョブ処理1ページあたりの消費電力量と、削減ページ数から、削減可能な消費電力量を算出する手段（１１２）と、 
を持つことを特徴とする画像形成装置管理システム。 
【請求項２】
消費電力量削減を実現するジョブ処理設定は、集約印刷であることを特徴とする請求項１に記載の画像形成装置管理システム。
【請求項３】
ページ種類によって、ジョブ処理１ページあたりの消費電力量に重みづけを行い、ページ種類ごとに１ページあたりの消費電力量を計算することを特徴とする請求項１に記載の画像形成装置管理システム。
【請求項４】
ジョブ処理１ページあたりの消費電力量の重みづけを行うページ種類は、用紙サイズ、カラー・モノクロ、両面・片面の少なくともいずれか１つであることを特徴とする請求項３に記載の画像形成装置管理システム。
【請求項５】
ジョブ処理開始時にデバイスが消費する消費電力量（５０６）を算出する手段と、複数ジョブを連続で実行した場合に削減可能な消費電力量を算出する手段を持つことを特徴とする請求項１に記載の画像形成装置管理システム。
【請求項６】
削減可能な消費電力量を、CO2排出量に換算する手段を持つことを特徴とする請求項１乃至請求項５の何れか１項に記載の画像形成装置管理システム。
【発明の詳細な説明】
【技術分野】
【０００１】
本発明は、画像形成装置の環境コスト算出方法及びプログラムに関するものである。
【背景技術】
【０００２】
近年、複写機等の画像形成装置（デバイス）の使用に際し、環境への配慮などの目的から消費電力量やCO2排出量を測定したいという要望がある。
【０００３】
デバイス使用による消費電力量を測定する方法として、デバイスに電力計を搭載し、電力量を記録する方法が提案されている（例えば、特許文献１参照）。
【先行技術文献】
【特許文献】
【０００４】
【特許文献１】特開２００２−００６６９６号公報
【発明の概要】
【発明が解決しようとする課題】
【０００５】
上記従来技術のように、電力計で消費電力量を計測することで、デバイス使用時の正確な消費電力量を求めることができる。
【０００６】
一方で、印刷設定や印刷方法をどのように変更したら、どれだけ消費電力量を削減できるかを知りたいという要望がある。
【０００７】
デバイス使用による消費電力量を削減する手段として、２ページの原稿を１ページに集約して印刷することで処理ページ数を減らす方法などがある。
【０００８】
デバイスが電力を消費するのには、デバイスが印刷可能な状態を保持するためや、１ページ印刷するために内部の機構を稼働させるためなど、様々な要因がある。
【０００９】
消費電力量削減のシミュレーションを行うためには、デバイスが電力を消費する要因ごとの消費電力量の内訳を必要とする。
【００１０】
例えば、集約印刷を行うことによる消費電力量削減シミュレーションを行う場合は、集約印刷するとページ数が減少するという観点から、１ページを処理するに当たり、どれだけの消費電力量を消費するかといった情報が必要となる。
【００１１】
しかし、電力計で測定できる消費電力量は、ある期間で発生した消費電力量であり、その要因ごとの内訳までは測定することができない。
【００１２】
そのため、電力計で測定した消費電力量では、消費電力量削減シミュレーションを行うための情報が不足している。
【００１３】
本発明は、上記問題を解決するためになされたものであり、実測値に基づく、より正確な消費電力量を提示し、更に実測値を用いたより正確な消費電力量削減シミュレーション結果を提示することを目的とする。
【課題を解決するための手段】
【００１４】
画像形成装置の管理システムにおいて、画像形成装置の状態変化ごとに消費電力量を記録する手段（１２４、２０４）と、 
ジョブ処理実績を記録する手段（１２３）と、 
前記記録した消費電力量から、ジョブ処理１ページあたりの消費電力量を算出する手段（１１２）と、 
前記ジョブ処理実績に対して、消費電力量削減を実現するジョブ処理設定を適用した場合の削減ページ数を算出する手段（１１２）と、 
前記、ジョブ処理1ページあたりの消費電力量と、削減ページ数から、削減可能な消費電力量を算出する手段（１１２）と、 
を持つことを特徴とする画像形成装置管理システム。 
【発明の効果】
【００１５】
電力計で測定した消費電力量を使用して、消費電力量の削減シミュレーションを行うことで、実測値に基づいたより正確な消費電力量削減シミュレーション結果を提示することが可能となる。
【図面の簡単な説明】
【００１６】
【図１】本発明の一実施形態としてのシステム構成図
【図２】画像形成装置（デバイス）の構成を説明するブロック図
【図３】情報処理装置の構成を示すブロック図
【図４】消費電力量ログを取得する処理のフローチャート
【図５（ａ）】デバイスの消費電力量の推移を示す概念図（その１）
【図５（ｂ）】デバイスの消費電力量の推移を示す概念図（その２）
【図５（ｃ）】デバイスの消費電力量の推移を示す概念図（その３）
【図６（ａ）】デバイスの消費電力量の推移を示す概念図（その１）
【図６（ｂ）】デバイスの消費電力量の推移を示す概念図（その２）
【図７】電力量記録テーブルの一例
【発明を実施するための形態】
【００１７】
以下、本発明を実施するための最良の形態について図面を用いて説明する。
【００１８】
［実施例１］
図１は、本システムの構成例を示す図である。
【００１９】
情報処理装置１１０は、図３の構成を有するコンピュータである。
【００２０】
デバイス１２０は、図２の構成を有する複写機などの画像形成装置（デバイス）である。
【００２１】
情報処理装置１１０の通信部１１３は、ネットワークに接続する機能を持ち、ネットワークを介してデバイス１２０と通信を行う機能を有する。
【００２２】
計算部１１２は、通信部１１３を介してデバイス１２０からの情報を取得し、消費電力量およびＣＯ２排出量の計算を行う機能を有する。
【００２３】
ＩＦ１１１は、情報処理装置１１０を操作する管理者の操作を受け付ける手段を有する。情報処理装置１１０に接続されたモニタ３１０（後述）にＵＩを表示しても良いし、Ｗｅｂサービスを構成し、他のコンピュータからＷｅｂブラウザを介した操作を受けつける手段を取っても良い。
【００２４】
デバイス１２０の通信部１２１は、ネットワークに接続する機能を持ち、ネットワークを介して情報処理装置１１０と通信を行う機能を有する。
【００２５】
印刷部１２２は、ユーザーのデバイスの直接操作あるいはネットワーク経由の印刷要求を受け付け、印刷を実行する機能を有する。
【００２６】
電力測定部１２４は、デバイス１２０の消費電力量を測定する機能を有する。
【００２７】
管理部１２３は、本システムの制御を行う。印刷部１２２が印刷した結果の印刷実績の保存および、電力測定部１２４が測定した結果の消費電力量を保持する機能を有する。
【００２８】
図２は、本実施形態の印刷システムを構成するデバイス１２０の構成を説明するブロック図である。
【００２９】
ＣＰＵ２０１は、制御プログラム等に基づいてシステムバス２００に接続される印刷部（プリンタエンジン）２０６に出力情報としての画像信号を出力する。制御プログラムはＲＯＭ２０２やハードディスクドライブ（ＨＤＤ）２０９等に記憶される。
【００３０】
ＣＰＵ２０１はネットワークインタフェイスカード（ＮＩＣ）２０８を介してネットワーク１００上のコンピューター等との通信処理が可能となっている。ＲＡＭ２０３は、ＣＰＵ２０１の主メモリ、ワークエリア等として機能する。
【００３１】
電力計２０４は、デバイスの消費電力量を測定する。
【００３２】
操作部２０５は、操作のためのスイッチおよびＬＥＤ表示器等が配されている。
【００３３】
図３は、本実施形態の印刷システムを構成する情報処理装置１１０の構成を説明するブロック図である。
【００３４】
ＣＰＵ３０１は、ＲＡＭ３０３をワークメモリとして、ＲＯＭ３０２およびハードディスクドライブ（ＨＤＤ）３１１に格納されたプログラムを実行し、システムバス３０４を介して後述する各構成を制御する。
【００３５】
ＨＤＤ３１１は、オペレーティングシステム（ＯＳ）や各種プログラムやデータを格納する。ＣＰＵ３０１は、ディスクコントローラ（ＤＫＣ）３０７を介して、ＨＤＤ３１１およびディスクドライブ３１２にアクセスし、各種プログラム等をＨＤＤ３１１にインストールする。
【００３６】
ＣＰＵ３０１は、ネットワークインタフェイスカード（ＮＩＣ）３０８を介して、ネットワーク１００を介した他のコンピューター、デバイス等とも通信可能である。
【００３７】
ＣＰＵ３０１は、プログラムに従い、ビデオカード（ＶＣ）３０６を介してモニタ３１０にユーザインタフェイス(ＵＩ)を表示する。ユーザは、キーボード（ＫＢ）３０９やマウスなどのポインティングデバイスを操作して、ＵＩに対する指示や入力を行なう。ＣＰＵ３０１は、キーボードコントローラ（ＫＢＣ）３０５を介してユーザ指示や入力を受け付け、ユーザ指示や入力に応じて様々な処理を実行する。
【００３８】
なお、本システムは、情報処理装置１１０およびデバイス１２０等の情報処理装置上で協調動作するプログラムによって実現される。プログラムは、各情報処理装置の不揮発性記憶領域に記憶されており、ＲＡＭに読みだされＣＰＵによって実行される。
【００３９】
デバイス１２０は、電力測定部１２４において、自身が消費した電力量を測定する。
【００４０】
デバイス１２０の管理部１２３は、デバイスのステータスの変化があると、その時点での積算電力量を電力量記録テーブルに書き込む。電力量記録テーブルは、ＨＤＤ２０９に保持する。
【００４１】
ステータスの変化とは、デバイスの電源状態や、ジョブ実行状態の変化をいう。例えば、電源オン、電源オフ、低電力モードイン、低電力モードアウト、ジョブ開始、ジョブ終了した場合をいう。
【００４２】
図７は、電力量記録テーブルの一例である。データの項目として、ログNo.と、ステータス変化時間、ステータス、その時点での積算電力量を持つ。
【００４３】
例では、2011/10/1 8:30に電源オンされた時点で記録した積算電力量は1000Whであり、次にステータスが変化したジョブ開始時に記録した積算電力量は1100Whである。電源オンからジョブ開始までの消費電力量が、100Whであることを示している。
【００４４】
情報処理装置１１０が、デバイス１２０から電力量記録テーブルに記載された消費電力量ログを取得する処理を、図４のフローチャートを用いて説明する。
【００４５】
情報処理装置１１０は、定期的にデバイス１２０から消費電力量ログを取得する。例えば、毎日０：００に取得する。
【００４６】
情報処理装置１１０は、デバイス１２０に対して消費電力量ログ取得要求を出す。その際、前回の消費電力量ログ取得時に受け取ったログの最終ログNo.を通知する。
【００４７】
消費電力量ログ取得要求を受け取ったデバイス１２０は、最終ログNo.を確認する。（Ｓ４００）最終ログNo.より大きい数値のログがある場合（Ｓ４０１）、最終ログNo.の次のログから最新のログまでを、情報処理装置１１０に返す。（Ｓ４０２）情報処理装置１１０は、受け取った消費電力量ログを用いて、デバイス使用による消費電力量およびCO2排出量を計算する。
【００４８】
本実施例では、最終ログNo.を情報処理装置１１０が管理していたが、送信した最終ログNo.をデバイス１２０が保持しておいても良い。
【００４９】
また、本実施例では、情報処理装置１１０がデバイス１２０に消費電力量ログ取得要求を出す例を示したが、デバイス１２０から情報処理装置１１０に消費電力量ログを送信する構成をとってもよい。
【００５０】
消費電力量ログから、デバイスの消費電力量の推移が分かる。
【００５１】
消費電力量から求めた消費電力量の推移の概念図を図５(a)に示す。
【００５２】
図７の例を用いると、電源オンからジョブ開始までの待機中の消費電力量（５００）は、100Whとなる。
【００５３】
ジョブ開始からジョブ終了までのジョブ実行中の消費電力量（５０１）は、200Whとなる。
【００５４】
５０２は、ジョブ終了から低電力モードに入るまでの待機中の消費電力量で、５０３は電源オフするまでの低電力モードの消費電力量を示している。
【００５５】
ジョブ実行中の消費電力量（５０１）は、電力計から取得した場合は上記の通り200Wｈと１つの値で取得されるが、実際には、複数の構成要素から成る。
【００５６】
この概念を、図５(b)を用いて説明する。
【００５７】
ジョブ処理自体にかかる消費電力量をジョブ処理消費電力量（５０４）とする。
【００５８】
また、ジョブ処理とは別に、ジョブ実行中も、デバイスの状態を維持するために待機中と同等の消費電力量がかかるため、これを基本消費電力量（５０５）とする。
【００５９】
ジョブ処理消費電力量（５０４）は、ジョブを１ページ印刷するごとにかかる消費電力量である。
【００６０】
集約印刷を行うと、印刷ページ数が削減できるため、ジョブ処理消費電力量（５０４）を削減することができる。
【００６１】
集約印刷とは、複数ページの原稿を１ページに集約して印刷するもので、２ページの原稿を１ページに集約した場合を「2 in 1」、４ページの原稿を1ページに集約した場合を「4 in 1」と呼ぶ。
【００６２】
集約印刷をした場合、消費電力量がどれだけ削減できるかを計算するには、現在の総印刷ページ数と集約印刷した場合のページ数、１ページあたりの消費電力量が必要となる。
【００６３】
現在の印刷ページ数は、印刷実績から取得する。
【００６４】
デバイス１２０の印刷部１２２において、印刷が実行されると、管理部１２３は、印刷実績をＨＤＤ２０９に格納する。印刷実績は、印刷ページ数、印刷枚数、印刷設定、用紙種類などのジョブ情報を含む。印刷設定には、集約印刷情報を含む。
【００６５】
情報処理装置１１０は、デバイス１２０から通信部１１３を介して印刷実績を取得する。
【００６６】
印刷実績の取得は、情報処理装置１１０が定期的にデバイス１２０と通信して取得しても良いし、ジョブ実行完了時にデバイス１２０から情報処理装置１１０に送信しても良い。
【００６７】
情報処理装置１１０の計算部１１２は、印刷実績から取得した集約印刷情報を参照して、集約印刷を行っていないジョブを対象に、集約印刷を行った場合の消費電力量を計算する。
【００６８】
計算は、情報処理装置１１０内に格納された計算式を用いて行う。
【００６９】
以下の式で、総印刷ページ数から、１部のページ数を求める。
【００７０】
[総印刷ページ数]  ÷ [印刷部数]
以下の式で、集約印刷した場合の１部のページ数を求める。
【００７１】
[1部のページ数]  ÷ [集約数] （余り繰り上げ）
[集約数]とは、元々のページの何ページを１ページに印刷する設定にしたかを示し、「2 in 1」の場合は２、「4 in 1」の場合は４が入る。
【００７２】
集約印刷した場合に削減可能な消費電力量は、以下の式で求める。
【００７３】
（[1部のページ数] - [集約印刷した場合の1部のページ数]）×[1ページあたりの消費電力量] × [印刷部数]
[1ページあたりの消費電力量]は、電力計の測定値から計算で算出する。
【００７４】
図５(a)(b)を用いて説明した通り、電力計から取得できるジョブ実行中の消費電力量（５０１）は、ジョブ処理消費電力量（５０４）と基本消費電力量（５０５）の和から成る。
【００７５】
電力計から取得したジョブ実行中の消費電力量（５０１）から、基本消費電力量（５０５）を引いた値が、ジョブ処理消費電力量（５０４）となる。
【００７６】
基本消費電力量（５０５）は、待機中の消費電力量（５００）と同等のため、待機中の消費電力量（５００）から、待機中の単位時間あたりの消費電力量を算出し、それにジョブ実行時間を掛けて、基本消費電力量（５０５）を算出する。
【００７７】
ジョブ実行時間は、電力量記録テーブルから取得する。図７の例では、ジョブ実行時間は１０分となる。
【００７８】
以下の式で、１ページあたりの消費電力量を求める。
【００７９】
（[ジョブ実行中の消費電力量（５０１）]  −[基本消費電力量（５０５）]）÷[総印刷ページ数]
用紙サイズが混在しているジョブの場合、集約印刷は同じ用紙サイズ同士を集約できるとして、消費電力量の削減計算を行う。
【００８０】
例えば、A4 が10ページ、A3が30ページで１部のジョブについて、４ in 1にした場合の削減計算を行う場合について説明する。
【００８１】
電力計から取得したジョブ実行中の消費電力量（５０１）は200Wh、基本消費電力量（５０５）は100Whとする。
【００８２】
１ページあたりの消費電力量は、上記、1ページあたりの消費電力量を求める式に当てはめると、（２００ − １００）÷ ４０ = ２．５Whとなる。
【００８３】
A4に関して集約印刷を行った場合の１部のページ数を求めると、１０÷４  ＝  ３（余り繰り上げ）となり、削減可能な消費電力量は、
（１０−３）×２．５×１＝１７．５Whとなる。
【００８４】
A３に関して集約印刷を行った場合の１部のページ数を求めると、３０÷４  ＝ ８（余り繰り上げ）となり、削減可能な消費電力量は、
（３０−８）×２．５×１＝５５Whとなる。
【００８５】
よって、１７．５＋５５＝７２．５Wh削減できる計算となる。
【００８６】
また、削減可能なＣＯ２排出量は、削減可能な消費電力量に、１ｋＷｈ当たりのＣＯ２排出量を掛けて算出する。１ｋＷｈ当たりのＣＯ２排出量は、所定の機関が発表している値を用いる。
【００８７】
［実施例２］
本実施例では、印刷ページの種類ごとに重みづけを行って、削減計算を行う方法を説明する。
【００８８】
実施例１と同様の構成や手順については、その詳細説明を省略する。
【００８９】
実施例１の計算方法は、用紙サイズなどの印刷ページの種類によらず、１ページあたりの消費電力量を同じにして計算している。しかし実際には、差は大きくないが、ページ種類によって、１ページ当たりの消費電力量に違いがある。
【００９０】
本実施例では、この差を考慮した削減計算の方法を説明する。
【００９１】
例えば、A4 が10ページ、A3が30ページで１部のジョブについて、４ in 1にした場合の削減計算を行う場合について説明する。ジョブ処理消費電力量（５０４）は１００Whとする。
【００９２】
用紙サイズごとに、消費電力量の重みづけの値を設定しておく。
【００９３】
例えば、A4が１の場合、A3は、1.2 のように設定する。
【００９４】
この値は、例えば、過去の消費電力測定結果から算出しておくなどする。
【００９５】
A4のみを印刷した場合の１ページあたりの消費電力量と、A3のみを印刷した場合の１ページあたりの消費電力量を計算しておき、この消費電力量の比を重みづけの値とする。
【００９６】
用紙サイズごとに、[ページ数] × [重みづけの値] を計算し、すべての用紙サイズの算出値を合算する。
【００９７】
この例の場合、１０×１＋３０×１．２＝４６となる。
【００９８】
ジョブ処理消費電力量（５０４）をこの値で割ると、２．１７となる。
【００９９】
用紙サイズごとの１ページあたりの消費電力量は、以下の式で求める。
【０１００】
２．１７×[重みづけの値] 
A4の１ページあたりの消費電力量は、２．１７×１＝２．１７
A3の１ページあたりの消費電力量は、２．１７×１．２＝ ２．６０
１ページあたりの消費電力量を用いた、集約印刷時に削減可能な消費電力量の計算方法は、実施例１と同様である。
【０１０１】
本実施例では、用紙サイズを元に、消費電力量の重みづけを行う例をあげたが、他の基準を使用して重みづけを行ってもよい。
【０１０２】
例えば、カラー・モノクロや、片面・両面印刷などの印刷設定も、消費電力量に影響があるため、これらを基準として用いてもよい。
【０１０３】
［実施例３］
本実施例では、消費電力量を削減する方法として、連続印刷を行った場合のシミュレーションを行う方法を説明する。
【０１０４】
実施例１および実施例２と同様の構成や手順については、その詳細説明を省略する。
【０１０５】
図５(c)は、図５(b)で説明したジョブ処理消費電力量（５０４）を更に細分化した概念図である。
【０１０６】
ジョブ開始時に、デバイスのウォームアップをするため、一時的に大きい電力を消費する。これを、開始時消費電力量（５０６）とする。これは処理ページ数に関わらず、ジョブ実行ごとにかかる消費電力量である。
【０１０７】
実施例１および実施例２では、ジョブ処理消費電力量（５０４）を、ジョブを１ページ印刷するごとにかかる消費電力量としていた。
【０１０８】
本実施例では、ジョブ処理消費電力量（５０４）のうち、開始時消費電力量（５０６）以外の消費電力量をジョブ実行消費電力量（５０７）とし、これをジョブを１ページ印刷するごとにかかる消費電力量として、消費電力量の削減計算を行う。
【０１０９】
１ジョブずつ時間を空けて印刷すると、デバイスが稼働していない間にクールダウンするため、ジョブ実行の度に、ウォームアップが必要となる。
【０１１０】
連続印刷をすると、ウォームアップが必要なくなり、開始時消費電力量（５０６）が掛からないため、その分の消費電力量が削減できる。
【０１１１】
図６(a)は、２つのジョブを間をあけて印刷した場合の、消費電力量の推移の概念図である。ジョブを印刷するごとに、開始時消費電力量（５０６）がかかっている。
【０１１２】
図６(b)は、２つのジョブを連続して印刷した場合の、消費電力量の推移の概念図である。
【０１１３】
図６(a)に比べて、２ジョブ目の開始時消費電力量（５０６）が削減できている。
【０１１４】
消費電力量の削減計算を、例をあげて説明する。
【０１１５】
例えば、ジョブAとジョブBを間を空けて印刷した結果、ジョブ処理消費電力量（５０４）が、ジョブAが２００Wh、ジョブBが３００Whであったとする。
【０１１６】
ジョブ処理消費電力量（５０４）は、実施例１と同様の計算方法で算出する。
【０１１７】
ジョブ処理消費電力量（５０４）は、以下の式で表すことができる。
【０１１８】
[開始時消費電力量（５０６）] + [ジョブ実行消費電力量（５０７）]
ジョブ実行消費電力量（５０７）は、以下の式で表すことができる。
【０１１９】
[１ページあたりの消費電力量] × ページ数
ジョブAが２０ページ、ジョブBが４０ページだったとすると、ジョブAのジョブ処理消費電力量（５０４）は、以下の式になる。
【０１２０】
[開始時消費電力量（５０６）]  ＋ [１ページ当たりの消費電力量] × 20 = 200
ジョブBの消費電力量は、以下の式になる。
【０１２１】
[開始時消費電力量（５０６）]  ＋ [１ページ当たりの消費電力量] × 40 = 300
１ページあたりの消費電力量は、ジョブAとジョブBで同じとして、上記２式から、[開始時消費電力量（５０６）]  が１００Whと求められる。 
【０１２２】
従って、１ジョブ連続させる毎に、１００Wh削減できると言える。
【符号の説明】
【０１２３】
１１０  情報処理装置
１２０  デバイス
【図１】
2013182131.tif 000003
【図２】
2013182131.tif 000004
【図３】
2013182131.tif 000005
【図４】
2013182131.tif 000006
【図５（ａ）】
2013182131.tif 000007
【図５（ｂ）】
2013182131.tif 000008
【図５（ｃ）】
2013182131.tif 000009
【図６（ａ）】
2013182131.tif 000010
【図６（ｂ）】
2013182131.tif 000011
【図７】
2013182131.tif 000012